(57)【要約】      （修正有）【課題】  ブッシュの交換により複数の異径接続管の接続が実行でき、フレアジョイントのサイズ毎の在庫数およびコスト低減を図ることができるフレアジョイントを提供する。【解決手段】  ジョイント本体２とブッシュとを備えたフレアジョイントであって、ジョイント本体２にはブッシュ３，４の嵌入口９を形成する一方、嵌入口９に嵌入される基部１４と、相対的に内径が小さい小径接続管を接続するテーパ外面部１５とを備えた第１ブッシュ３と、嵌入口９に嵌入される第１ブッシュ３の基部１４と同形状の基部１９と、相対的に内径が大きい大径接続管を接続するテーパ外面部２０とを備えた第２ブッシュ４とを設け、ジョイント本体２を共通と成して、ジョイント本体２に対して第１ブッシュ３と第２ブッシュ４とを択一的に取付けて複数の異径接続管を接続すべく構成した。【選択図】  図１
2006258238.tif 000002
【特許請求の範囲】
【請求項１】
ジョイント本体とブッシュとを備えたフレアジョイントであって、
ジョイント本体にはブッシュの嵌入口を形成する一方、
上記嵌入口に嵌入される基部と、相対的に内径が小さい小径接続管を接続するテーパ外面部とを備えた第１ブッシュと、
上記嵌入口に嵌入される第１ブッシュの基部と同形状の基部と、相対的に内径が大きい大径接続管を接続するテーパ外面部とを備えた第２ブッシュとを設け、
上記ジョイント本体を共通と成して、該ジョイント本体に対して第１ブッシュと第２ブッシュとを択一的に取付けて複数の異径接続管を接続すべく構成した
フレアジョイント。
【請求項２】
上記ジョイント本体の外周ネジ部に締結されるフレアナットと、
該フレアナットの内径部に配設可能なカラーとを設け、
小径接続管の接続時にはフレアナットの内径部にカラーを配設し、
大径接続管の接続時にはフレアナットの内径部からカラーを取外し、
上記ジョイント本体およびフレアナットを共通と成して、ジョイント本体に対する第１および第２ブッシュの選択、並びにフレアナットに対するカラー配設の有無により複数の異径接続管を接続すべく構成した
請求項１記載のフレアジョイント。
【請求項３】
原水の入口部と、水処理器に対する原水の供給口と、水処理された生成水の戻り口とを備えた吐水用部材において、
上記供給口または／および戻り口に請求項１または２記載のフレアジョイントを取付けた
吐水用部材。
【発明の詳細な説明】
【技術分野】
【０００１】
この発明は、パイプ、ホースまたはチューブ等の接続管を接続固定するようなフレアジョイントおよび吐水用部材に関する。
【背景技術】
【０００２】
従来、上述例のフレアジョイントとしては特許文献１に記載の構造がある。  
すなわち、図７に示すように、外周にネジ部９１を有するジョイント本体９２と、Ｏリング溝９３およびテーパ外面部９４を有するブッシュ９５と、上記ネジ部９１螺合するネジ孔を備えたフレアナット９６とを設け、Ｏリング（図示せず）を装着したブッシュ９５をジョイント本体９２に取付けた後に、パイプ、ホースまたはチューブ等の接続管９７を内部に貫設した状態のフレアナット９６を上記ネジ部９１に螺合して、接続管９７を固定すべく構成したフレアジョイントである。
【０００３】
ここで、上述のブッシュ９５には、そのフランジ部９８に１８０度対向すべく面取り部９９，９９が形成される一方、ジョイント本体９２には上記面取り部９９，９９と対応して回転防止爪１００，１００が一体形成されており、ブッシュ９５のジョイント本体９２に対する相対回転が不可能となるように構成されている。
【０００４】
図７に示す従来のフレアジョイントによれば、ブッシュ９５を強力にジョイント本体９２に嵌入して連通連結することができ、これら両者９２，９５間の液蜜性を確保することができる利点がある反面、面取り部９９の加工に手間がかかるうえ、ジョイント本体９２には回転防止爪１００を一体形成する必要があるため、加工および構造が複雑化し、フレアジョイントのコスト低減が阻害されるものである。
【０００５】
上記特許文献１には、フレアジョイントにおいてジョイント本体９２とブッシュ９５とを別部材にて構成する技術思想は存在するものの、接続される接続管９７の内径が異なる場合には、これに対応したジョイント本体９２、ブッシュ９５、フレアナット９６が必要となり、サイズ毎のフレアジョイントを要する関係上、サイズ毎の在庫数が多くなり、結果的にコスト高を招く問題点があった。  
【特許文献１】特開平７−２６９７６３号公報
【発明の開示】
【発明が解決しようとする課題】
【０００６】
この発明は、ジョイント本体を共通と成して、このジョイント本体に対して異径かつ複数の接続管に対応する複数のブッシュを択一的に取付けるように構成することで、ブッシュの交換により複数の異径接続管の接続が実行でき、フレアジョイントのサイズ毎の在庫数およびコスト低減を図ることができるフレアジョイントの提供を目的とする。
【課題を解決するための手段】
【０００７】
この発明によるフレアジョイントは、ジョイント本体とブッシュとを備えたフレアジョイントであって、ジョイント本体にはブッシュの嵌入口を形成する一方、上記嵌入口に嵌入される基部と、相対的に内径が小さい小径接続管を接続するテーパ外面部とを備えた第１ブッシュと、上記嵌入口に嵌入される第１ブッシュの基部と同形状の基部と、相対的に内径が大きい大径接続管を接続するテーパ外面部とを備えた第２ブッシュとを設け、上記ジョイント本体を共通と成して、該ジョイント本体に対して第１ブッシュと第２ブッシュとを択一的に取付けて複数の異径接続管を接続すべく構成したものである。
【０００８】
上述の接続管は、用途に対応して樹脂パイプ、ゴム製、樹脂製等のホースまたはチューブを選定して用いることができる。  
上記構成によれば、基部が同一形状で、テーパ外面部が異なる複数のブッシュを設けたので、共通のジョイント本体に対して第１ブッシュまたは第２ブッシュを選択して取付けることにより、ブッシュの交換にて複数の異径接続管の接続を実行することができ、ジョイント本体を共通化できるため、フレアジョイントのサイズ毎の在庫数およびコスト低減を図ることができる。
【０００９】
この発明の一実施態様においては、上記ジョイント本体の外周ネジ部に締結されるフレアナットと、該フレアナットの内径部に配設可能なカラーとを設け、小径接続管の接続時にはフレアナットの内径部にカラーを配設し、大径接続管の接続時にはフレアナットの内径部からカラーを取外し、上記ジョイント本体およびフレアナットを共通と成して、ジョイント本体に対する第１および第２ブッシュの選択、並びにフレアナットに対するカラー配設の有無により複数の異径接続管を接続すべく構成したものである。
【００１０】
上記構成によれば、共通のジョイント本体に対して第２ブッシュを嵌入すると共に、カラーを取外した状態のフレアナットを用いると、相対的に内径が大きい大径接続管を接続固定することができ、また、共通のジョイント本体に対して第１ブッシュを嵌入すると共に、カラーを内設した状態のフレアナットを用いると、相対的に内径が小さい小径接続管を接続固定することができる。
【００１１】
このように、上述のジョイント本体のみならずフレアナットをも共通化することができるので、フレアジョイントのサイズ毎の在庫数およびコストをさらに低減することができる。
【００１２】
この発明による吐水用部材は、原水の入口部と、水処理器に対する原水の供給口と、水処理された生成水の戻り口とを備えた吐水用部材において、上記供給口または／および戻り口に請求項１または２記載のフレアジョイントを取付けたものである。
【００１３】
上記構成によれば、フレアジョイントにおけるジョイント本体の共通化、または、ジョイント本体およびフレアナットの共通化を図りつつ、ブッシュ、カラーを選定するという簡単な構造により、吐水用部材に接続された水処理器の能力（処理能力、処理流量、または使用水量）を超えない範囲に流量を制限することができる。
【発明の効果】
【００１４】
この発明によれば、ジョイント本体を共通と成して、このジョイント本体に対して異径かつ複数の接続管に対応する複数のブッシュを択一的に取付けるように構成したので、ブッシュの交換により複数の異径接続管の接続が実行でき、フレアジョイントのサイズ毎の在庫数およびコスト低減を図ることができる効果がある。
【発明を実施するための最良の形態】
【００１５】
ブッシュの交換にて複数の径が異なる接続管の接続を可能にるすという目的を、ジョイント本体とブッシュとを備えたフレアジョイントにおいて、ジョイント本体にはブッシュの嵌入口を形成する一方、嵌入口に嵌入される基部と、相対的に内径が小さい小径接続管を接続するテーパ外面部とを備えた第１ブッシュと、嵌入口に嵌入される第１ブッシュの基部と同形状の基部と、相対的に内径が大きい大径接続管を接続するテーパ外面部とを備えた第２ブッシュとを設け、ジョイント本体を共通化して、ジョイント本体に対して第１ブッシュと第２ブッシュとを択一的に取付けて複数の異径接続管を接続するように成すことで実現した。
【実施例】
【００１６】
この発明の一実施例を以下図面に基づいて詳述する。  
図面はフレアジョイントおよび吐水用部材を示すが、まず、図１を参照して、フレアジョイントの構成について説明する。  
フレアジョイント１Ａ，１Ｂ，１Ｃ（図３〜図５参照）は、ジョイント本体２と、ブッシュ３，４と、フレアナット５，６と、カラー７とを備えている。
【００１７】
上述のジョイント本体２は、その円筒形状の内部に内部通路８と連通する嵌入口９を段付きに形成すると共に、その外周部一側には後述するハウジング３３，３５（図３〜図５参照）に対する取付け用のネジ部１０を形成し、外周部他側にはフレアナット５，６を螺合するためのネジ部１１を形成している。
【００１８】
ブッシュ３，４のうちの一方の第１ブッシュ３は、Ｏリング溝１２にＯリング１３を装着し、かつ、ジョイント本体２の嵌入口９に嵌入される基部１４と、相対的に内径が小さい小径接続管としてのホースＨ１（図３，図４参照）を接続するテーパ外面部１５と、内部通路１６とを備えている。
【００１９】
他方第２ブッシュ４は、Ｏリング溝１７にＯリング１８を装着し、かつ、ジョイント本体２の嵌入口９に嵌入される基部１９と、相対的に内径が大きい大径接続管としてのホースＨ２（図５参照）を接続するテーパ外面部２０と、内部通路２１とを備えている。
【００２０】
ここで、上述の第１ブッシュ３における基部１４、内部通路１６と、第２ブッシュ４における基部１９、内部通路２１はそれぞれ同一形状に構成され、ジョイント本体２の嵌入口９に対して何れか一方のブッシュを択一的に取付けるように構成している。
【００２１】
フレアナット５，６のうちの一方の第１フレアナット５は、その内部にジョイント本体２側のネジ部１１に対応するネジ孔２２を形成すると共に、ホースＨ１に対応する内径Ｄ１の円筒部２３を有し、外周部にはローレット加工部２４が形成されている。
【００２２】
他方の第２フレアナット６は、その内部にジョイント本体２側のネジ部１１に対応するネジ孔２５を形成すると共に、ホースＨ２に対応する内径Ｄ２（但し、Ｄ２＞Ｄ１）の円筒部２６を有し、外周部にはローレット加工部２７が形成されている。つまり、第１フレアナット５の円筒部２３は第２フレアナット６の円筒部２６に対して厚肉に形成されている。
【００２３】
上述の略円筒形状のカラー７はホースＨ１に対応した内径Ｄ１を有すると共に、円筒部２６とネジ孔２５との間の段部に係止される抜け止め用の鍔部７ａが一体形成されたもので、このカラー７を第２フレアナット６に内設した場合には、該第２フレアナット６は小径接続管としてのホースＨ１用となり、カラー７を第２フレアナット６から取外した場合には、該第２フレアナット６は大径接続管としてのホースＨ２用となり、フレアナット６の共通部品化を図ることができる。
【００２４】
このように構成したので、図１、図３に示すように共通部品化されたジョイント本体２と、第１ブッシュ３と、第１フレアナット５とを組合わせると、相対的に内径が小さいホースＨ１を接続固定することができ、また、図１、図４に示すように共通部品化されたジョイント本体２と、第１ブッシュ３と、カラー７を内設した第２フレアナット６とを組合わせると、相対的に内径が小さいホースＨ１を接続固定することができ、さらに、図１、図５に示すように共通のジョイント本体２と、第２ブッシュ４と、カラー７を取外した第２フレアナット６とを組合わせると、相対的に内径が大きいホースＨ２を接続固定することができる。
【００２５】
すなわち、図３と図５との比較から明らかなように、共通のジョイント本体２に対して第１ブッシュ３または第２ブッシュ４を選択して取付けることにより、ブッシュ３，４の交換にて複数の異径のホースＨ１，Ｈ２の接続を実行することができる。
【００２６】
また、図４と図５との比較から明らかなように、ジョイント本体２および第２フレアナット６をそれぞれ共通化して、第１ブッシュ３と第２ブッシュ４の選択、並びにカラー７の内設の有無により、複数の異径のホースＨ１，Ｈ２の接続を実行することができる。
【００２７】
図２〜図５は上記構成のフレアジョイント１Ａ，１Ｂ，１Ｃを備えた吐水用部材を示し、原水Ｗの入口部３０と連通する円筒形状の入口ハウジング３１と、原水Ｗの供給口３２を備えた供給口ハウジング３３と、生成水の戻り口３４を備えた戻り口ハウジング３５とを設け、ネジ部材３６および接続部材３７を介して分岐口アタッチメント（図示せず）に固定される入口ハウジング３１に対して供給口ハウジング３３および戻り口ハウジング３５を一体的に回動可能に構成している。
【００２８】
この実施例では、供給口ハウジング３３を、その上側が小径で下側が大径となる二段軸構造に形成し、この供給口ハウジング３３の小径部外周の下側に上述の入口ハウジング３１を相対回転可能に装着すると共に、供給口ハウジング３３の小径部外周の上側には上述の戻り口ハウジング３５の基部を嵌着し、この戻り口ハウジング３５の上下方向中間位置において該ハウジング３５の径方向内方に一体形成した取付け座３８において、取付けビス３９などの取付け部材を用いて上側の戻り口ハウジング３５を下側の供給口ハウジング３３の小径部に固定し、入口ハウジング３１を分岐口アタッチメント（図示せず）に固定した時、供給口ハウジング３３と戻り口ハウジング３５とが一体的に水平方向に回動可能となるように構成している。
【００２９】
また供給口ハウジング３３の入口部３０と対応する部分には輪溝４０を形成し、この輪溝４０と対応するように入口ハウジング３１の内周には別の軸溝４１を形成すると共に、ネジ部材３６の内部通路３６ａと一致する入口ハウジング３１の所定箇所にはインレットポート４２を形成している。
【００３０】
さらに供給口ハウジング３３の軸芯部には入口部３０と供給口３２とを上下方向に連通する連通路４３を形成する一方、供給口３２および戻り口３４には上述のフレアジョイント１Ａ，１Ｂ，１Ｃの共通部品としてのジョイント本体２を接続し、図３〜図５において図示下側のフレアジョイント１Ａ，１Ｂ，１Ｃをアウトレット部材に設定し、図示上側のフレアジョイント１Ａ，１Ｂ，１Ｃをインレット部材に設定している。
【００３１】
そして、これらの各アウトレット部材およびインレット部材にはホースＨ１またはホースＨ２を介してアルカリイオン整水器などの水処理器４４を接続している。  
一方、戻り口ハウジング３５上端の小径部外周には、スパウト４５の基部を取付けるネジ部４６が形成されており、このネジ部４６に締付けるナット４７を用いてスパウト４５の基部を戻り口ハウジング３５の上部に取付け固定している。ここで、上述のナット４７の外周には回動操作性を考慮してローレット加工が施されている。
【００３２】
また上述のスパウト４５の中間部４５ａは図２に示すようにフレキシブル構造に構成されていて、既設のスパウト（図示せず）と干渉しないように、その向きを任意に可変調整することができるように構成されている。
【００３３】
図３、図４、図５において入口ハウジング３１のインレットポート４２から各輪溝４１，４０を介して供給口ハウジング３３の入口部３０に流入した原水Ｗは、各要素４３，３２，８を介して水処理器４４に供給され、水処理器４４で生成された生成水は図示上側のフレアジョイント１Ａ，１Ｂ，１Ｃの共通のジョイント本体２内の内部通路８から戻り口ハウジング３５の戻り口３４に還流された後に、吐出口４８およびスパウト４５を介して流出される。
【００３４】
ここで、上述の水処理器４４は所定の能力（処理能力、処理流量、使用水量）に設定されており、該水処理器４４に対する流量がその能力を超えない範囲に制限することが望ましい。
【００３５】
さらにフレアジョイント１Ａ，１Ｂ，１Ｃの供給口３２側には定量弁５０を介設して、水処理器４４に対する供給流出量つまり流量の定量化を図っているが、この定量弁５０はネジ部材３６に内設してもよい。
【００３６】
この定量弁５０は図６に拡大断面図で示すように、内部ハウジング５１と外部ハウジング５２とが一体化された弁ハウジングと、この弁ハウジングの中央に開口された通路５３と、内外の両ハウジング５１，５２間に形成された複数の通路５４と、両ハウジング５１，５２間に介設されたＯリング５５とを有し、流量に対応してＯリング５５で通路５４の原水の通過面積をコントロールすることにより、定量弁５０下流側に一定量（一定流量）を確保するものである。
【００３７】
そこで、水処理器４４に接続される接続管は、図３または図４に示すように、相対的に内径が小さいホースＨ１、あるいは図５に示すように、相対的に内径が大きいホースＨ２の何れかに選定されるが、この吐水用部材には前述のフレアジョイント１Ａ，１Ｂ，１Ｃが取付けられているので、ジョイント本体２を各ハウジング３３，３５に取付けた状態のままで、ブッシュ３，４を交換、あるいは、ジョイント本体２とフレアナット６とを共に共通化して、ブッシュ３，４を交換し、かつ、カラー７内設の有無を選定することにより、簡単かつ迅速に水処理器４４の能力に対応した何れかのホースＨ１，Ｈ２に取り替えることができ、吐水用部材に接続された水処理器４４の能力を超えない範囲に流量を制限することができ、吐水用部材の汎用性拡大を図ることができる。特に、上記ホースの径は、ホースを製造する製造メーカにより異なるため、このような場合にも有効となる。
【００３８】
このように、上記実施例のフレアジョイント１Ａ，１Ｂ，１Ｃは、ジョイント本体２とブッシュとを備えたフレアジョイントであって、ジョイント本体２にはブッシュ３，４の嵌入口９を形成する一方、上記嵌入口９に嵌入される基部１４と、相対的に内径が小さい小径接続管（ホースＨ１参照）を接続するテーパ外面部１５とを備えた第１ブッシュ３と、上記嵌入口９に嵌入される第１ブッシュ３の基部１４と同形状の基部１９と、相対的に内径が大きい大径接続管（ホースＨ２参照）を接続するテーパ外面部２０とを備えた第２ブッシュ４とを設け、上記ジョイント本体２を共通と成して、該ジョイント本体２に対して第１ブッシュ３と第２ブッシュ４とを択一的に取付けて複数の異径接続管（ホースＨ１，Ｈ２）を接続すべく構成したものである。
【００３９】
この構成によれば、基部１４，１９が同一形状で、テーパ外面部１５，２０が異なる複数のブッシュ３，４を設けたので、共通のジョイント本体２に対して第１ブッシュ３または第２ブッシュ４を選択して取付けることにより、ブッシュ３，４の交換にて複数の異径接続管（ホースＨ１，Ｈ２）の接続を実行することができ、ジョイント本体２を共通化できるため、フレアジョイント１Ａ，１Ｃのサイズ毎の在庫数およびコスト低減を図ることができる。
【００４０】
また、上記ジョイント本体２の外周ネジ部１１に締結されるフレアナット６と、該フレアナット６の内径部に配設可能なカラー７とを設け、小径接続管（ホースＨ１）の接続時にはフレアナット６の内径部にカラー７を配設し、大径接続管（ホースＨ２）の接続時にはフレアナット６の内径部からカラー７を取外し、上記ジョイント本体２およびフレアナット６を共通と成して、ジョイント本体２に対する第１および第２ブッシュ３，４の選択、並びにフレアナット６に対するカラー７の配設の有無により複数の異径接続管（ホースＨ１，Ｈ２）を接続すべく構成したものである。
【００４１】
この構成によれば、共通のジョイント本体２に対して第２ブッシュ４を嵌入すると共に、カラー７を取外した状態のフレアナット６を用いると、相対的に内径が大きい大径接続管（ホースＨ２）を接続固定することができ、また、共通のジョイント本体２に対して第１ブッシュ３を嵌入すると共に、カラー７を内設した状態のフレアナット６を用いると、相対的に内径が小さい小径接続管（ホースＨ１）を接続固定することができる。
【００４２】
このように、上述のジョイント本体２のみならずフレアナット６をも共通化することができるので、フレアジョイント１Ｂ，１Ｃのサイズ毎の在庫数およびコストをさらに低減することができる。
【００４３】
さらに、上記実施例の吐水用部材（図２〜図５参照）は、原水Ｗの入口部３０と、水処理器４４に対する原水Ｗの供給口３２と、水処理された生成水の戻り口３４とを備えた吐水用部材において、上記供給口３２または／および戻り口３４に上記構成のフレアジョイント１Ａ，１Ｂ，１Ｃを取付けたものである。
【００４４】
この構成によれば、フレアジョイント１Ａ，１Ｂ，１Ｃにおけるジョイント本体２の共通化、または、ジョイント本体２およびフレアナット６の共通化を図りつつ、ブッシュ３，４、カラー７を選定するという簡単な構造により、吐水用部材に接続された水処理器４４の能力（処理能力、処理流量、または使用水量）を超えない範囲に流量を制限することができると共に、吐水用部材には複数の異径ホースＨ１，Ｈ２を択一的に接続することができるので、該吐水用部材の汎用性拡大を図ることができる。
【００４５】
また、実施例で示したように、上述の吐水用部材（図３〜図５参照）を、原水Ｗの入口部３０と連通する入口ハウジング３１と、原水Ｗの供給口３２を備えた供給口ハウジング３３と、生成水の戻り口３４を備えた戻り口ハウジング３５とを設け、分岐口アタッチメント（図示せず）に固定される入口ハウジング３１に対して供給口ハウジング３３および戻り口ハウジング３５を回動可能に構成すると、入口ハウジング３１は分岐口アタッチメント（図示せず）に固定されて回動不可となるが、この入口ハウジング３１に対して供給口ハウジング３３および戻り口ハウジング３５が水平方向に回動自在となるので、混合水栓（図示せず）と水処理器との相対的な位置関係において、水処理器に対するホースやパイプ等の配管の取り回しの自由度が向上するものである。
【００４６】
この発明の構成と、上述の実施例との対応において、  
この発明の小径接続管は、実施例のホースＨ１に対応し、  
以下同様に、  
大径接続管は、ホースＨ２に対応するも、  
この発明は、上述の実施例の構成のみに限定されるものではない。
【００４７】
例えば、大径接続管を接続するために用いる第２ブッシュは、接続管の異なる内径に対応して複数設けるように成してもよい。すなわち、上記実施例の第１ブッシュ３は内径が６ｍｍφのホースＨ１に対応し、第２ブッシュ４は内径が８ｍｍφのホースＨ２に対応するが、この第２ブッシュ４は内径が８ｍｍφ用ものと、内径が１０ｍｍφ用のものとを複数設けても良い。
【図面の簡単な説明】
【００４８】
【図１】本発明のフレアジョイントを示す分解図
【図２】フレアジョイントを備えた吐水用部材の外観図
【図３】吐水用部材の要部拡大断面図
【図４】小径接続管を接続した状態の吐水用部材の断面図
【図５】大径接続管を接続した状態の吐水用部材の断面図
【図６】定量弁の拡大断面図
【図７】従来のフレアジョイントを示す分解斜視図
【符号の説明】
【００４９】
１Ａ，１Ｂ，１Ｃ…フレアジョイント
２…ジョイント本体
３…第１ブッシュ
４…第２ブッシュ
６…第２フレアナット（フレアナット）
７…カラー
９…嵌入口
１１…外周ネジ部
１４，１９…基部
１５，２０…テーパ外面部
３０…入口部
３２…供給口
３４…戻り口
４４…水処理器
Ｈ１，Ｈ２…ホース（接続管）
【図１】
2006258238.tif 000003
【図２】
2006258238.tif 000004
【図３】
2006258238.tif 000005
【図４】
2006258238.tif 000006
【図５】
2006258238.tif 000007
【図６】
2006258238.tif 000008
【図７】
2006258238.tif 000009